(57)【要約】【課題】光コネクタ本体部の先端に遮光部材が配備された異種の光コネクタを容易に作製でき、しかも光伝送線を折損させずに容易に各光コネクタ同士を接続して光結合し得る構造の光コネクタ装置を提供すること。【解決手段】この光コネクタ装置は、光伝送線６用の整列部材４ｂを内包して持つ遮光部材４に設けた長形突起片（略図）がジャック側光コネクタ本体部１に設けた凹み部（略図）に案内されてジャック側光コネクタを成し、光伝送線７用の整列部材を内包しない遮光部材５に設けた短形突起片（略図）がプラグ側光コネクタ本体部３に設けた溝部（略図）に案内されてプラグ側光コネクタを成し、各遮光部材４，５を当接摺動させて光伝送線６，７を含む位置合わせ完了状態で本体部１，３の端面が突き合わされて当接されるまで嵌合方向へ寸法Ｌの分、スライド操作させて本体部３の内部に各遮光部材４，５を挿入させた構造を持つ。【選択図】図３
2006243124.tif 000002
【特許請求の範囲】
【請求項１】
第１の遮光部材が配備される第１の光コネクタと、第２の遮光部材が配備される第２の光コネクタとを含み、且つ該第１の遮光部材及び該第２の遮光部材を突き合わせて該第１の光コネクタ及び該第２の光コネクタの主面と垂直な方向で摺動させながら位置合わせすることで光結合可能な構造の光コネクタ装置であって、前記第１の光コネクタ及び前記第１の遮光部材と前記第２の光コネクタ及び前記第２の遮光部材とは、それぞれ中心軸よりずれた位置に設けられると共に、スライド案内により嵌合係止に供される係合部を有し、前記第１の遮光部材にあっての前記係合部の嵌合方向における長さは、前記第２の遮光部材にあっての前記係合部の嵌合方向における長さよりも短い寸法であり、更に、前記第１の遮光部材及び前記第２の遮光部材を位置合わせした状態で前記嵌合方向へスライド操作することにより前記第１の光コネクタの内部に挿入可能な構造であることを特徴とする光コネクタ装置。
【請求項２】
請求項１記載の光コネクタ装置において、前記第１の光コネクタの主面と平行な前記第１の遮光部材にあっての前記係合部における前記嵌合方向を含む面に対して垂直な方向の厚さは、前記第２の光コネクタの主面と平行な前記第２の遮光部材にあっての前記係合部における前記嵌合方向を含む面に対して垂直な方向の厚さ以上であることを特徴とする光コネクタ装置。
【請求項３】
請求項１又は２記載の光コネクタ装置において、前記第１の光コネクタにあっての前記係合部は、前記嵌合方向で内壁に沿って設けられた溝部であり、前記第１の遮光部材にあっての前記係合部は、前記溝部により案内されると共に、前記嵌合方向での長さが短目で該嵌合方向と同一平面上で垂直な外方へ突出した短形突起片であり、前記第２の光コネクタにあっての前記係合部は、前記嵌合方向で内壁に沿って設けられた凹み部であり、前記第２の遮光部材にあっての前記係合部は、前記凹み部により案内されると共に、前記嵌合方向での長さが長目で該嵌合方向と同一平面上で垂直な外方へ突出した長形突起片であることを特徴とする光コネクタ装置。
【請求項４】
請求項１又は２記載の光コネクタ装置において、前記第１の光コネクタにあっての前記係合部は、前記嵌合方向で内壁に沿って設けられた溝部であり、前記第１の遮光部材にあっての前記係合部は、前記溝部により案内されると共に、前記嵌合方向での長さが短目で該嵌合方向と同一平面上で垂直な外方へ突出した短形突起片であり、前記第２の光コネクタにあっての前記係合部は、前記嵌合方向で内壁に沿って設けられた凹み部であり、前記第２の遮光部材にあっての前記係合部は、前記凹み部により案内されると共に、前記嵌合方向及び該嵌合方向と同一平面上で垂直な外方へ突出し、且つ該嵌合方向での長さが長大な舌状突起片であることを特徴とする光コネクタ装置。
【請求項５】
請求項２〜４の何れか一つに記載の光コネクタ装置において、一方の開口側から前記第１の光コネクタにあっての前記第１の遮光部材側を挿入可能であると共に、他方の開口側から前記第２の光コネクタにあっての前記第２の遮光部材側を挿入可能な貫通部を有し、更に、前記貫通部内で前記第１の遮光部材及び前記第２の遮光部材を覆った状態で前記第１の光コネクタ及び前記第２の光コネクタの前記嵌合方向でのスライド操作を案内し、且つ該第１の遮光部材及び該第２の遮光部材の前記垂直な方向での摺動を規制するための接続用アダプタを備えたことを特徴とする光コネクタ装置。
【請求項６】
請求項１〜５の何れか一つに記載の光コネクタ装置において、前記第１の光コネクタは、列設される光伝送線用の整列部材を持たないプラグ側光コネクタであり、前記第２の光コネクタは、列設される光伝送線用の整列部材を前記第２の遮光部材が内包して持つジャック側光コネクタであることを特徴とする光コネクタ装置。
【発明の詳細な説明】
【技術分野】
【０００１】
本発明は、主として誤嵌合防止機能を備えた光コネクタであって、詳しくは列設される光伝送線用の整列部材を持つジャック側光コネクタと列設される光伝送線用の整列部材を持たないプラグ側光コネクタとが備える遮光部材同士を突き合わせて摺動させながら位置合わせすることで光結合可能な構造の光コネクタ装置に関する。
【背景技術】
【０００２】
従来、一般的な異種な型同士の誤挿入を防止するための誤嵌合防止機能を備えた光コネクタとしては、光コネクタ側に突起を設け、アダプタ側にも突起に対応する形状の凹み部を設けることで誤嵌合防止機能を構築したもの（例えば特許文献１，特許文献２参照）が挙げられる。
【０００３】
【特許文献１】特開平１０−１４２４５２号公報（要約、図１）
【特許文献２】特開２０００−２４１６７０号公報（要約、図１）
【発明の開示】
【発明が解決しようとする課題】
【０００４】
上述した誤嵌合防止機能を備えた光コネクタの場合、単に光コネクタ相互間の誤挿入を防止するためのものであるため、基本的には突起やそれに対応する形状の凹み部を設ける構造とし、光コネクタが所定の方向で挿入でき、その逆方向では挿入できない機能を持たせれば良く、突起の配置を工夫するだけで済むもので、特に突起の長さを使い分ける必要が無いものとなっているが、こうした単純な構造であれば、本体部の先端に遮光部材が配備された構造の異種な光コネクタの作製時に遮光部材の組み付け違いを起こす危険性や光ファイバ等の光伝送線の端部を折損させる危険性がある他、先端に遮光部材が配備された異種な構造の光コネクタ同士を結合して光コネクタ装置を構築する場合には適用が困難であるという問題がある。
【０００５】
本発明は、このような問題点を解決すべくなされたもので、その技術的課題は、遮光部材を適確に組み付け可能で本体部の先端に遮光部材が配備された構造の異種な光コネクタを容易に作製でき、しかも光伝送線を折損（切損）させずに容易に各光コネクタ同士を接続して光結合し得る構造の光コネクタ装置を提供することにある。
【課題を解決するための手段】
【０００６】
本発明によれば、第１の遮光部材が配備された第１の光コネクタと、第２の遮光部材が配備された第２の光コネクタとを含み、且つ該第１の遮光部材及び該第２の遮光部材を突き合わせて該第１の光コネクタ及び該第２の光コネクタの主面と垂直な方向で摺動させながら位置合わせすることで光結合可能な構造の光コネクタ装置であって、第１の光コネクタ及び第１の遮光部材と第２の光コネクタ及び第２の遮光部材とは、それぞれ中心軸よりずれた位置に設けられると共に、スライド案内により嵌合係止に供される係合部を有し、第１の遮光部材にあっての係合部の嵌合方向における長さは、第２の遮光部材にあっての係合部の嵌合方向における長さよりも短い寸法であり、更に、第１の遮光部材及び第２の遮光部材を位置合わせした状態で嵌合方向へスライド操作することにより第１の光コネクタの内部に挿入可能な構造である光コネクタ装置が得られる。
【０００７】
又、本発明によれば、上記光コネクタ装置において、第１の光コネクタの主面と平行な第１の遮光部材にあっての係合部における嵌合方向を含む面に対して垂直な方向の厚さは、第２の光コネクタの主面と平行な第２の遮光部材にあっての係合部における嵌合方向を含む面に対して垂直な方向の厚さ以上である光コネクタ装置が得られる。
【０００８】
更に、本発明によれば、上記何れかの光コネクタ装置において、第１の光コネクタにあっての係合部は、嵌合方向で内壁に沿って設けられた溝部であり、第１の遮光部材にあっての係合部は、溝部により案内されると共に、嵌合方向での長さが短目で該嵌合方向と同一平面上で垂直な外方へ突出した短形突起片であり、第２の光コネクタにあっての係合部は、嵌合方向で内壁に沿って設けられた凹み部であり、第２の遮光部材にあっての係合部は、凹み部により案内されると共に、嵌合方向での長さが長目で該嵌合方向と同一平面上で垂直な外方へ突出した長形突起片である光コネクタ装置が得られる。
【０００９】
加えて、本発明によれば、上記何れかの光コネクタ装置において、第１の光コネクタにあっての係合部は、嵌合方向で内壁に沿って設けられた溝部であり、第１の遮光部材にあっての係合部は、溝部により案内されると共に、嵌合方向での長さが短目で該嵌合方向と同一平面上で垂直な外方へ突出した短形突起片であり、第２の光コネクタにあっての係合部は、嵌合方向で内壁に沿って設けられた凹み部であり、第２の遮光部材にあっての係合部は、凹み部により案内されると共に、嵌合方向及び該嵌合方向と同一平面上で垂直な外方へ突出し、且つ該嵌合方向での長さが長大な舌状突起片である光コネクタ装置が得られる。
【００１０】
一方、本発明によれば、上記何れか一つの光コネクタ装置において、一方の開口側から第１の光コネクタにあっての第１の遮光部材側を挿入可能であると共に、他方の開口側から第２の光コネクタにあっての第２の遮光部材側を挿入可能な貫通部を有し、更に、貫通部内で第１の遮光部材及び第２の遮光部材を覆った状態で第１の光コネクタ及び第２の光コネクタの嵌合方向でのスライド操作を案内し、且つ該第１の遮光部材及び該第２の遮光部材の垂直な方向での摺動を規制するための接続用アダプタを備えた光コネクタ装置が得られる。
【００１１】
他方、本発明によれば、上記何れか一つの光コネクタ装置において、第１の光コネクタは、列設される光伝送線用の整列部材を持たないプラグ側光コネクタであり、第２の光コネクタは、列設される光伝送線用の整列部材を第２の遮光部材が内包して持つジャック側光コネクタである光コネクタ装置が得られる。
【発明の効果】
【００１２】
本発明の光コネクタ装置の場合、第１の遮光部材が配備された第１の光コネクタ（列設される光伝送線用の整列部材を持たないプラグ側光コネクタ）と、第２の遮光部材が配備された第２の光コネクタ（列設される光伝送線用の整列部材を第２の遮光部材が内包して持つジャック側光コネクタ）とを含み、且つ各遮光部材を突き合わせて各光コネクタの主面と垂直な方向で摺動させながら位置合わせすることで光結合可能な基本構造にあって、第１の光コネクタ及び第１の遮光部材と第２の光コネクタ及び第２の遮光部材とについては、それぞれ中心軸よりずれた位置に設けられると共に、スライド案内により嵌合係止に供される係合部を有するものとした上、第１の遮光部材にあっての係合部（第１の光コネクタの係合部として設けられた溝部により案内され、嵌合方向での長さが短目で嵌合方向と同一平面上で垂直な外方へ突出した短形突起片）の嵌合方向における長さを第２の遮光部材にあっての係合部（第２の光コネクタの係合部として設けられた凹み部により案内され、嵌合方向での長さが長目で嵌合方向と同一平面上で垂直な外方へ突出した長形突起片か、或いは同様な凹み部により案内され、嵌合方向及びそれと同一平面上で垂直な外方へ突出し、且つ嵌合方向での長さが長大な舌状突起片）の嵌合方向における長さよりも短い寸法とし、更に第１の遮光部材及び第２の遮光部材を位置合わせした状態で嵌合方向へスライド操作することにより第１の光コネクタの内部に挿入可能な構造とすることを基本とし、その他に第１の光コネクタの主面と平行な第１の遮光部材にあっての係合部（短形突起片）における嵌合方向を含む面に対して垂直な方向の厚さを第２の光コネクタの主面と平行な第２の遮光部材にあっての係合部（長形突起片或いは舌状突起片）における嵌合方向を含む面に対して垂直な方向の厚さ以上とする構造としているので、各部の構造が異なって視認による識別が容易であることにより、各遮光部材を適確に組み付け可能となり、光コネクタ本体部の先端に遮光部材が配備された構造の異種な光コネクタを容易に作製できるようになり、しかも各遮光部材を摺動させながら挿入された光伝送線を含めた位置合わせを経て第１の光コネクタの内部にスライド案内する構造（必要に応じて接続用アダプタの貫通部内で行う）としていることにより、各遮光部材の係合部が光伝送線を挿入装着した整列部材を案内するように働くため、光伝送線を折損又は切損させずに容易に各光コネクタ同士を接続して光結合した構造の光コネクタ装置を作製できるようになる。特に、光コネクタ本体部の先端に遮光部材が配備された構造の異種な光コネクタを作製する際、第１の遮光部材の係合部のように短目の突起片を設けた場合には突起片と第１の光コネクタの溝部とにより第１の遮光部材が摺動する際のガイドとなって円滑に案内され、第２の遮光部材の係合部のように長目の突起片を設けた場合には突起片が第２の光コネクタの凹み部に案内されてその内壁端部に突き当たるまで挿入すれば第２の遮光部材の位置決めができるので、何れの構造においても組み付けが適確に行われるようになる。又、各遮光部材における突起片の長さを変えることで組み付けの間違えを防止することができ、厚さを変えることによって異種のもの同士での組み付けをできなくすることができるようになる。更に、スライド操作を要して各光コネクタ同士を接続する際の光結合も第２の遮光部材が相手側の第１の遮光部材に押されて摺動することがなくなるため、安定して適確に行われるようになる。
【発明を実施するための最良の形態】
【００１３】
最初に、本発明の光コネクタ装置に係る前提的技術について説明する。図１は、本発明の前提的技術に係る光コネクタの外観構成を示したものであり、同図（ａ）は光コネクタ本体部１０及び遮光部材４０の組み付け前の分離状態に関するもの，同図（ｂ）は光コネクタ本体部１０及び遮光部材４０の組み付け時の接近状態に関するものである。
【００１４】
この光コネクタは、本出願人により特願２００３−３０９０４８号として提案されたもので、図１（ａ）に示されるように光コネクタ本体部１０と光ファイバ等の光伝送線用の整列部材を内包して持つ遮光部材４０とを用意し、図１（ｂ）に示されるように光コネクタ本体部１０の端部開口に対し、遮光部材４０の端部を接近させて挿入することで組み付けを行う構造となっている。
【００１５】
ところが、この光コネクタの場合、遮光部材４０には誤嵌合防止構造が無いことにより、しばしば遮光部材４０を組み付けるときに上下面を逆さにして組み付ける危険性がある他、光コネクタ本体部１０の整列部材に光伝送線を挿入するときの案内構造が無いことにより、しばしば光伝送線を折損（切損）させてしまう問題がある。
【００１６】
そこで、本発明の最良の形態に係る光コネクタ装置は、第１の遮光部材が配備された第１の光コネクタと、第２の遮光部材が配備された第２の光コネクタとを含み、且つ各遮光部材を突き合わせて各光コネクタの主面と垂直な方向で摺動させながら位置合わせすることで光伝送線同士が結合される基本構造にあって、第１の光コネクタ及び第１の遮光部材と第２の光コネクタ及び第２の遮光部材とについては、それぞれ中心軸よりずれた位置に設けられると共に、スライド案内により嵌合係止に供される係合部を有するものとした上、第１の遮光部材にあっての係合部の嵌合方向における長さを第２の遮光部材にあっての係合部の嵌合方向における長さよりも短い寸法とし、更に第１の遮光部材及び第２の遮光部材を位置合わせした状態で嵌合方向へスライド操作することにより第１の光コネクタの内部に挿入可能な構造とするものである。
【００１７】
但し、この光コネクタ装置において、第１の光コネクタの主面と平行な第１の遮光部材にあっての係合部における嵌合方向を含む面に対して垂直な方向の厚さは、第２の光コネクタの主面と平行な第２の遮光部材にあっての係合部における嵌合方向を含む面に対して垂直な方向の厚さ以上である構造とする。第１の光コネクタにあっての係合部は、嵌合方向で内壁に沿って設けられた溝部とし、第１の遮光部材にあっての係合部は、溝部により案内されると共に、嵌合方向での長さが短目で嵌合方向と同一平面上で垂直な外方へ突出した短形突起片とし、第２の光コネクタにあっての係合部は、嵌合方向で内壁に沿って設けられた凹み部とし、第２の遮光部材にあっての係合部は、凹み部により案内されると共に、嵌合方向での長さが長目で嵌合方向と同一平面上で垂直な外方へ突出した長形突起片とする構造とするか、或いは第２の遮光部材にあっての係合部について、第２の光コネクタの嵌合方向で内壁に沿って設けられた係合部の凹み部により案内されると共に、嵌合方向及びそれと同一平面上で垂直な外方へ突出し、且つ嵌合方向での長さが長大な舌状突起片として変更する構造を例示することができる。
【００１８】
何れの光コネクタ装置においても、一方の開口側から第１の光コネクタにあっての第１の遮光部材側を挿入可能であると共に、他方の開口側から第２の光コネクタにあっての第２の遮光部材側を挿入可能な貫通部を有し、更に、貫通部内で第１の遮光部材及び第２の遮光部材を覆った状態で第１の光コネクタ及び第２の光コネクタの嵌合方向でのスライド操作を案内し、且つ第１の遮光部材及び第２の遮光部材の垂直な方向での摺動を規制するための接続用アダプタを備えることが好ましい。尚、第１の光コネクタは列設される光伝送線用の整列部材を持たないプラグ側光コネクタであり、第２の光コネクタは列設される光伝送線用の整列部材を第２の遮光部材が内包して持つジャック側光コネクタである場合を例示できる。
【００１９】
本発明の最良の形態に係る光コネクタ装置の場合、各光コネクタ及び各遮光部材に対して中心軸よりずれた位置に設けられた係合部の存在により、各部の視認による識別が容易である他、第１の遮光部材にあっての係合部の短形突起片は、第１の光コネクタの係合部として設けられた溝部により案内され、第２の遮光部材にあっての係合部の長形突起片や舌状突起片は、第２の光コネクタの係合部として設けられた凹み部により案内されるものであるため、各遮光部材を適確に組み付け可能であり、光コネクタ本体部の先端に遮光部材が配備された構造の異種な光コネクタを容易に作製できる。又、各遮光部材を摺動させながら位置合わせして第１の光コネクタの内部にスライド案内した後、光伝送線を挿入するようにすれば、各遮光部材の係合部が光伝送線を案内するように働くため、光伝送線を折損（切損）させずに容易に各光コネクタ同士を接続して光結合した構造（必要に応じて接続用アダプタの貫通部内で行う）の光コネクタ装置が得られる。
【００２０】
即ち、光コネクタ本体部の先端に遮光部材が配備された構造の異種な光コネクタを作製する際、第１の遮光部材の係合部のように短目の突起片を設けた場合には突起片と第１の光コネクタの溝部とにより第１の遮光部材が摺動する際のガイドとなって円滑に案内され、第２の遮光部材の係合部のように長目の突起片を設けた場合には突起片が第２の光コネクタの凹み部に案内されてその内壁端部に突き当たるまで挿入すれば第２の遮光部材の位置決めができるので、何れの構造においても組み付けを適確に行うことができる。又、各遮光部材における突起片の長さを変えることで組み付けの間違えを防止することができ、厚さを変えることによって異種のもの同士での組み付けをできなくすることができる。更に、スライド操作を要して各光コネクタ同士を接続する際の光結合も第２の遮光部材が相手側の第１の遮光部材に押されて摺動することがなくなるため、安定して適確に行われる。
【実施例１】
【００２１】
図２は、本発明の実施例１に係る光コネクタ装置の外観構成を組み付け前の分離状態で示したものである。
【００２２】
この実施例１に係る光コネクタ装置は、列設される光伝送線用の整列部材を内包して持たない第１の遮光部材５が配備される第１の光コネクタを成すプラグ側光コネクタ本体部３と、列設される光伝送線用の整列部材を内包して持つ第２の遮光部材４が配備される第２の光コネクタを成すジャック側光コネクタ本体部１とを含み、且つ各遮光部材４，５を突き合わせてジャック側光コネクタ本体部１及びプラグ側光コネクタ本体部３の主面と垂直な方向で摺動させながら位置合わせすることで光結合可能な構造のもので、更に一方の開口側からプラグ側光コネクタ本体部３にあっての遮光部材５側を挿入可能であると共に、他方の開口側からジャック側光コネクタ本体部１にあっての遮光部材４側を挿入可能な貫通部を有し、その貫通部内で各遮光部材４，５を覆った状態でジャック側光コネクタ本体部１，プラグ側光コネクタ本体部３の嵌合方向でのスライド操作を案内し、且つ各遮光部材４，５の垂直な方向での摺動を規制するための接続用アダプタ２を備えた構成となっている。
【００２３】
図３は、この実施例１に係る光コネクタ装置に備えられるジャック側光コネクタ及びプラグ側光コネクタ同士を接続する際の各遮光部材４，５の状態推移を示したもので、同図（ａ）は接続前の分離状態に関するもの，同図（ｂ）は接続時の当接摺動状態に関するもの，同図（ｃ）は接続時の当接位置合わせ完了状態に関するもの，同図（ｄ）は位置合わせ完了後のスライド操作によるプラグ側光コネクタへの組み込み状態に関するものである。尚、図３（ａ）〜（ｄ）では、スライド操作を伴う接続の基本構造を簡単に説明するため、外形寸法上の細部構造は簡略化して示している。
【００２４】
この光コネクタ装置において、ジャック側光コネクタ及びプラグ側光コネクタ同士を接続する場合、初期的には接続前であるため、図３（ａ）に示されるように、ジャック側光コネクタ本体部１の整列部材４ｂを内包して持つ遮光部材４とプラグ側光コネクタ本体部３の遮光部材５とが分離されて離間されており、遮光部材４の整列部材４ｂには中心軸に沿って光伝送線６をその端部が嵌合方向で約半分の位置まで挿入装着しており、遮光部材５には中心軸に沿って光伝送線７を挿入している。
【００２５】
接続時には図３（ｂ）に示されるように、各遮光部材４，５が当接して遮光部材４は下降する向き，遮光部材５は上昇する向きに摺動する。尚、各遮光部材４，５の当接面は、それぞれ所定の角度で傾斜したテーパ面となっている。
【００２６】
各遮光部材４，５の当接摺動は、遮光部材４が最大下降位置に到達すると共に、遮光部材５が最大上昇位置に到達し、互いの当接面が全部密接し終わるまで続き、当接面が全部密接されて消失した時点で完了するが、このとき同時に図３（ｃ）に示されるように、プラグ側光コネクタ本体部３に配備された遮光部材５内の光伝送線７の端部をジャック側光コネクタ本体部１に配備された遮光部材４の整列部材４ｂの中心軸に沿った残り半分の空き所へ挿入するように光伝送線６の端部側へ押し込んで各端部が当接された状態とすることにより、接続時の当接位置合わせ完了状態となる。
【００２７】
最後に、この当接位置合わせ完了状態で各遮光部材４，５をジャック側光コネクタ本体部１及びプラグ側光コネクタ本体部３の端面が突き合わされて当接されるまで嵌合方向へ寸法Ｌの分、スライド操作させてプラグ側光コネクタ本体部３の内部に各遮光部材４，５を挿入させた構造として組み込み状態とする。尚、組み込み状態ではジャック側光コネクタ本体部１及びプラグ側光コネクタ本体部３の端面が突き合わされる位置と遮光部材４の光伝送線６の端部及び遮光部材５の光伝送線７の端部の当接される位置とがジャック側光コネクタ本体部１及びプラグ側光コネクタ本体部３の主面と垂直な方向でほぼ一致する。
【００２８】
図４は、実施例１に係る光コネクタ装置に備えられるプラグ側光コネクタの外観構成を示したものであり、同図（ａ）はプラグ側光コネクタ本体部３及び遮光部材５の組み付け前の分離状態に関するもの，同図（ｂ）はプラグ側光コネクタ本体部３及び遮光部材５の組み付け時の接近状態に関するものである。
【００２９】
このプラグ側光コネクタは、図４（ａ）に示されるように光伝送線用の整列部材を持たないプラグ側光コネクタ本体部３と遮光部材５とを用意し、図４（ｂ）に示されるようにプラグ側光コネクタ本体部３の端部開口に対し、遮光部材５の端部を接近させて挿入することで組み付けを行う構造となっている。
【００３０】
但し、ここでのプラグ側光コネクタの場合、誤嵌合防止構造として、プラグ側光コネクタ本体部３には、開口を成す内側の下方両側に嵌合方向に沿って溝部３ａが設けられており、遮光部材５には溝部３ａにより案内されると共に、嵌合方向での長さｘ１が短目で嵌合方向と同一平面上で垂直な外方へ突出した短形突起片５ａが設けられているため、プラグ側光コネクタ本体部３に対する遮光部材５の組み付け時には遮光部材５の短形突起片５ａが溝部３ａにより案内されて係合され、これにより容易にプラグ側光コネクタが作製されるようになっている。尚、このとき、図３（ａ）に示したように光ファイバ等の光伝送線７の端部を遮光部材５の中心軸に深目に挿入するようにすれば良い。
【００３１】
図５は、実施例１に係る光コネクタ装置に備えられるジャック側光コネクタの外観構成を示したものであり、同図（ａ）はジャック側光コネクタ本体部１及び遮光部材４の組み付け前の分離状態に関するもの，同図（ｂ）はジャック側光コネクタ本体部１及び遮光部材４の組み付け時の接近状態に関するものである。
【００３２】
このジャック側光コネクタは、図５（ａ）に示されるように光伝送線用の整列部材を持つジャック側光コネクタ本体部１と遮光部材４とを用意し、図５（ｂ）に示されるようにジャック側光コネクタ本体部１の端部開口に対し、遮光部材４の端部を接近させて挿入することで組み付けを行う構造となっている。
【００３３】
但し、ここでのジャック側光コネクタの場合、誤嵌合防止構造として、ジャック側光コネクタ本体部１には、開口を成す内側の下方両側に嵌合方向に沿って凹み部１ａが設けられており、遮光部材４には凹み部１ａにより案内されると共に、嵌合方向での長さｘ２が長目で嵌合方向と同一平面上で垂直な外方へ突出した長形突起片４ａ（ここでも嵌合方向における凹み部１ａの長さは長形突起片４ａの長さよりもずっと長くなっている）が設けられている（即ち、ｘ１＜ｘ２なる関係が成立する）ため、ジャック側光コネクタ本体部１に対する遮光部材４の組み付け時には遮光部材４の長形突起片４ａが凹み部１ａにより案内されて係合され、これにより容易にジャック側光コネクタが作製されるようになっている。尚、このとき、図３（ａ）に示したように光ファイバ等の光伝送線６の端部を遮光部材４の中心軸に浅目に挿入するようにすれば良い。
【００３４】
ところで、上述したプラグ側光コネクタ及びジャック側光コネクタについて、図４（ｂ）に示されるプラグ側光コネクタ本体部３に配備される遮光部材５の短形突起片５ａの厚さｄ１は図５（ｂ）に示されるジャック側光コネクタ本体部１に配備される遮光部材４の長形突起片４ａの厚さｄ２以上となっており、ｄ１≧ｄ２なる関係が成立する。
【００３５】
図６は、図５で説明したジャック側光コネクタに代用可能な変形例の外観構成を示したもので、同図（ａ）はジャック側光コネクタ本体部１′及び遮光部材４′の組み付け前の分離状態に関するもの，同図（ｂ）はジャック側光コネクタ本体部１′及び遮光部材４′の組み付け時の接近状態に関するものである。
【００３６】
このジャック側光コネクタの場合に、図６（ａ）に示されるように光伝送線用の整列部材を持つジャック側光コネクタ本体部１′と遮光部材４′とを用意し、図６（ｂ）に示されるようにジャック側光コネクタ本体部１′の端部開口に対し、遮光部材４′の端部を接近させて挿入することで組み付けを行う構造となっている点は図５（ａ），（ｂ）に示したものと同様である。
【００３７】
但し、ここでのジャック側光コネクタの場合、誤嵌合防止構造として、ジャック側光コネクタ本体部１′には、開口を成す内側の下方両側に嵌合方向に沿って凹み部１ａ′が設けられており、遮光部材４′には凹み部１ａ′により案内されると共に、嵌合方向及びそれと同一平面上で垂直な外方へ突出（特に嵌合方向での突出部分は点線の領域Ｅ内に示される）し、且つ嵌合方向での長さが長大な舌状突起片４ａ′が設けられている（ここでも嵌合方向における凹み部１ａ′の長さは舌状突起片４ａ′の長さよりもずっと長くなっている）ため、ジャック側光コネクタ本体部１′に対する遮光部材４′の組み付け時には遮光部材４′の舌状突起片４ａ′が凹み部１ａ′により案内されて係合され、これにより容易にジャック側光コネクタが作製されるようになっている。尚、この場合においても、図３（ａ）に示したように光ファイバ等の光伝送線６の端部を遮光部材４′の中心軸に浅目に挿入するようにすれば良く、プラグ側光コネクタとの結合も図３（ａ）〜（ｄ）に示したように同様に行うことができ、同様な光コネクタ装置の構造を得ることができる。
【００３８】
尚、図５（ａ），（ｂ）及び図６（ａ），（ｂ）に示した何れのジャック側光コネクタにおいても、遮光部材４，４′に設けられた長形突起片４ａ，舌状突起片４ａ′がジャック側光コネクタ本体部１，１′に設けられた凹み部１ａ，１ａ′に沿って安定して案内されるため、遮光部材４，４′が内包して持つ整列部材に対して光伝送線６を組み込んだ上でのジャック側光コネクタ本体部１，１′に対する組み付けが光伝送線６を折損（切損）させること無く容易に行われる。
【００３９】
因みに、上述した実施例１に係る光コネクタ装置において、プラグ側光コネクタ本体部３に設けられる溝部３と遮光部材５に設けられる短形突起片５ａとにおける形状や大きさは溝部３が短形突起片５ａを案内できるものであり、ジャック側光コネクタ本体部１，１′に設けられる凹み部１ａ，１ａ′と遮光部材４，４′に設けられる長形突起片４ａ，舌状突起片４ａ´とにおける形状や大きさは、凹み部１ａ，１ａ′が長形突起片４ａ，舌状突起片４ａ´を案内できるものであり、しかも異種な構造の光コネクタを作製する際の組み付け時の係合が光伝送線６，７を折損又は切損させること無く容易に図られ、且つスライド操作を要して各光コネクタを接続結合する光コネクタ装置の作製が容易であれば摺動の度合いを含めて任意に設定できるものである。
【図面の簡単な説明】
【００４０】
【図１】本発明の前提的技術に係る光コネクタの外観構成を示したもので、（ａ）は光コネクタ本体部及び遮光部材の組み付け前の分離状態に関するもの，（ｂ）は光コネクタ本体部及び遮光部材の組み付け時の接近状態に関するものである。
【図２】本発明の実施例１に係る光コネクタ装置の外観構成を組み付け前の分離状態で示したものである。
【図３】図２に示す光コネクタ装置に備えられるジャック側光コネクタ及びプラグ側光コネクタ同士を接続する際の各遮光部材の状態推移を示したもので、（ａ）は接続前の分離状態に関するもの，（ｂ）は接続時の当接摺動状態に関するもの，（ｃ）は接続時の当接位置合わせ完了状態に関するもの，（ｄ）は位置合わせ完了後のスライド操作によるプラグ側光コネクタへの組み込み状態に関するものである。
【図４】図２に示す光コネクタ装置に備えられるプラグ側光コネクタの外観構成を示したもので、（ａ）はプラグ側光コネクタ本体部及び遮光部材の組み付け前の分離状態に関するもの，（ｂ）はプラグ側光コネクタ本体部及び遮光部材の組み付け時の接近状態に関するものである。
【図５】図２に示す光コネクタ装置に備えられるジャック側光コネクタの外観構成を示したもので、（ａ）はジャック側光コネクタ本体部及び遮光部材の組み付け前の分離状態に関するもの，（ｂ）はジャック側光コネクタ本体部及び遮光部材の組み付け時の接近状態に関するものである。
【図６】図５で説明したジャック側光コネクタに代用可能な変形例の外観構成を示したもので、（ａ）はジャック側光コネクタ本体部及び遮光部材の組み付け前の分離状態に関するもの，（ｂ）はジャック側光コネクタ本体部及び遮光部材の組み付け時の接近状態に関するものである。
【符号の説明】
【００４１】
１，１′  ジャック側光コネクタ本体部
１ａ，１ａ′  凹み部
２  接続用アダプタ
３  プラグ側光コネクタ本体部
３ａ  溝部
４，４′，５，４０  遮光部材
４ａ  長型突起片
４ａ′  舌状突起片
４ｂ  整列部材
５ａ  短型突起片
６，７  光伝送線
１０  光コネクタ本体部
【図１】
2006243124.tif 000003
【図２】
2006243124.tif 000004
【図３】
2006243124.tif 000005
【図４】
2006243124.tif 000006
【図５】
2006243124.tif 000007
【図６】
2006243124.tif 000008